(57)【特許請求の範囲】
【請求項１】
工業プロセスで使用するための圧力トランスミッタであって、
金属壁を有し、その金属壁が、それを貫通する段付きボアを含み、前記段付きボアのボアシェルフがプロセス圧力室に対面しているハウジング、
前記ボアシェルフに対面するヘッダシェルフを備えた段付き外縁を有する金属ヘッダ、
前記プロセス圧力室中の圧力センサ、
前記金属壁を前記金属ヘッダに対してシールする溶接シール、
前記金属ヘッダを介して前記圧力センサに接続され、プロセス圧を表す出力を提供する電子部品、及び
前記段付き外縁に隣接し、前記ヘッダシェルフの位置を超えて前記金属ヘッダを通過する孔に挿通された導電体をシールするガラス−金属シール
を含み、
前記ヘッダシェルフが、前記溶接シールとは別に、突起によって形成される接触ラインに沿って前記ボアシェルフと接触し、前記電子部品が前記導電体を介して前記センサに接続している圧力トランスミッタ。
【請求項２】
前記金属ヘッダに加わる加圧荷重力が、前記ヘッダシェルフと前記ボアシェルフとの接触によって前記金属壁に伝達される、請求項１記載の圧力トランスミッタ。
【請求項３】
前記ヘッダシェルフと前記ボアシェルフとの接触が溶接を含む、請求項１記載の圧力トランスミッタ。
【請求項４】
前記圧力センサがプロセス圧を感知する、請求項１記載の圧力トランスミッタ。
【請求項５】
前記金属壁が複数のボアシェルフを含み、前記金属ヘッダが、前記複数のボアシェルフと接触する複数のヘッダシェルフを含む、請求項１記載の圧力トランスミッタ。
【請求項６】
前記ボアシェルフ及び前記ヘッダシェルフが円錐形を有する、請求項１記載の圧力トランスミッタ。
【請求項７】
前記段付きボアが円環形を有する、請求項１記載の圧力トランスミッタ。
【請求項８】
前記金属ヘッダが、前記プロセス圧力室に隣接するセンサ取り付け面を含み、前記圧力センサが前記センサ取り付け面に載る、請求項４記載の圧力トランスミッタ。
【請求項９】
前記金属ヘッダがさらに、前記センサ取り付け面で前記圧力センサに結合された通気路を含む、請求項８記載の圧力トランスミッタ。
【請求項１０】
前記圧力センサと前記導電体との間に接続されたボンドワイヤを含む、請求項１記載の圧力トランスミッタ。
【請求項１１】
前記圧力センサが、複数の層の少なくとも一つの中にシリコン感知ダイアフラムを含む多層センサを含む、請求項１記載の圧力トランスミッタ。
【請求項１２】
前記シリコン感知ダイアフラムの動きを感知するひずみゲージを含む、請求項１１記載の圧力トランスミッタ。
【請求項１３】
前記シリコン感知ダイアフラムの動きを感知する可変キャパシタンスを含む、請求項１１記載の圧力トランスミッタ。
【請求項１４】
前記圧力センサがプロセス流体と接触する、請求項１記載の圧力トランスミッタ。
【請求項１５】
前記圧力センサが、前記プロセス流体によって加圧される絶縁流体と接触する、請求項１記載の圧力トランスミッタ。
【請求項１６】
圧力センサが配置されたプロセス圧力室を、電子部品コンパートメントから分離する金属壁であって、それを貫通する段付きボアを含み、前記段付きボアが、前記プロセス圧力室に対面するボアシェルフを有する前記金属壁、
前記ボアシェルフと対面するヘッダシェルフを備えた段付き外縁を有する金属ヘッダ、
前記段付き外縁を前記段付きボアに対してシールする溶接シール、及び
前記段付き外縁に隣接し、前記ヘッダシェルフの位置を超えて前記金属ヘッダを通過する孔に充填されたガラス−金属シールを備えた少なくとも一つの電気フィードスルーを備えた中央金属プレート
を含み、
前記ヘッダシェルフが、前記溶接シールとは別に、突起によって形成される接触ラインに沿って前記ボアシェルフと接触する圧力トランスミッタ。
【請求項１７】
前記金属ヘッダに加わる加圧荷重力が、前記ヘッダシェルフと前記ボアシェルフとの接触によって前記金属壁に伝達される、請求項１６記載の圧力トランスミッタ。
【請求項１８】
前記圧力センサがプロセス圧を感知する、請求項１６記載の圧力トランスミッタ。
【請求項１９】
前記中央金属プレートが、前記プロセス圧力室に隣接するセンサ取り付け面を含み、前記圧力センサが前記センサ取り付け面に載る、請求項１６記載の圧力トランスミッタ。
【請求項２０】
前記圧力センサと、前記電気フィールドスルーを通るフィードスルーピンとの間に接続されたボンドワイヤを含む、請求項１６記載の圧力トランスミッタ。
【請求項２１】
前記センサ取り付け面が、前記圧力センサの背面を通気する通路を含む、請求項１９記載の圧力トランスミッタ。
【請求項２２】
前記プロセス圧力室が、加圧されたプロセス流体を受ける、請求項１６記載の圧力トランスミッタ。
【請求項２３】
前記プロセス圧力室が、加圧されたプロセス流体によって加圧される絶縁流体を受ける、請求項１６記載の圧力トランスミッタ。
【請求項２４】
前記プロセス圧が、前記金属壁中の通路を通って前記プロセス圧力室に提供される、請求項１６記載の圧力トランスミッタ。
【発明の詳細な説明】
【技術分野】
【０００１】
発明の背景
本発明は工業プロセスに関する。より具体的には、本発明は、そのようなプロセスで使用される圧力トランスミッタに関する。
【０００２】
プロセス圧計器において、大気圧にある電子部品と加圧されたセンサとの間で電気フィードスルー接続を提供しながらもプロセス圧を電子回路から圧力隔離するためにヘッダが使用される。本出願で使用される「ヘッダ」とは、気密シールされ、電気絶縁されたリードを支持するベースをいう。ヘッダジョイントをシールするためには、多くの場合、深溶け込み金属溶接が使用される。深溶け込み溶接は、溶接部の気密シールを保証するのに役立つ。この溶接はまた、溶接部の割れを防ぐのに十分な機械的強度を提供する。
【０００３】
深溶け込み溶接を施す場合には多量の熱が発生する。そのような熱が電気フィードスルー接続を損傷するおそれがある。電気フィードスルー接続に対する熱損傷を避けるために、ヘッダは一般に、十分な放熱を提供するのに十分な空間が溶接部とフィードスルーとの間に得られるよう、大きな直径を有する。
【０００４】
圧力感知装置がますます小型化されるにつれ、ヘッダを小型化することが要望される。しかし、熱損傷がヘッダ小型化における十分な進歩を妨げてきた。
【先行技術文献】
【特許文献】
【０００５】
【特許文献１】特表２００８−５１４９６３号公報
【特許文献２】特表２００５−５３０１５０号公報
【特許文献３】特表２００２−５４４５１４号公報
【特許文献４】特表平１１−５０４７１０号公報
【特許文献５】特表平１１−５０１１２３号公報
【特許文献６】特表平１１−５０１１２０号公報
【特許文献７】特表平１０−５１０３５８号公報
【発明の概要】
【０００６】
圧力トランスミッタは、プロセス圧力室を電子部品コンパートメントから分離する金属壁を含む。金属壁は、それを貫通する段付きボアを有する。段付きボアは、プロセス圧力室に対面するボアシェルフを含む。金属ヘッダは、ボアシェルフと接触するヘッダシェルフを備えた段付き外縁を有する。好ましくは、溶接シールが段付き外縁を段付きボアに対してシールする。
【図面の簡単な説明】
【０００７】
【図１】加圧されるプロセスパイプに取り付けられた圧力トランスミッタを示す図である。
【図２】圧力感知装置の部分断面図である。
【図３】ヘッダに取り付けられた圧力センサを備えた圧力感知装置の部分断面図である。
【図４】ヘッダ上の複数の段を示す図である。
【図５】ヘッダ上のテーパ状段を示す図である。
【図６】ヘッダに取り付けられた圧力センサを備えた圧力トランスミッタを示す図である。
【発明を実施するための形態】
【０００８】
詳細な説明
本発明は、ヘッダ溶接部のサイズを減らすことができる、圧力トランスミッタにおける構成を提供する。これは、溶接を形成するために要する熱の量を減らす。
【０００９】
以下に記す実施態様では、段付き外縁を備えた金属ヘッダが圧力トランスミッタに提供される。段付き外縁は、大きい方のリム直径と小さい方のリム直径との間にヘッダシェルフを有する。金属ヘッダは中央プレートを含み、一つ以上のフィードスルー孔がその中央プレートを貫通している。電気接続である金属ピンがフィードスルー孔を貫通している。金属ピンは、ガラス−金属シールによって孔に対してシールされている。フィードスルー孔は、外縁に隣接して配置されている。
【００１０】
金属ヘッダは、圧力トランスミッタの金属隔離壁の段付きボアに嵌る。段付きボアはボアシェルフを含む。段付き外縁は、一つ以上の浅い溶接によって段付きボアに溶接されてシールを提供する。プロセス圧が加わると、金属ヘッダに力が加わる。ヘッダシェルフがボアシェルフを押し、実質的にすべての力を金属隔離壁に伝達する。浅い溶接は、ヘッダに加わる力から解放される。浅い溶接は、少ない熱を使用するだけで形成され、溶接熱からのガラス−金属シールに対する損傷はない。
【００１１】
一つの実施態様において、中央プレートは、プロセス圧センサのための取り付けボスを含む。プロセス圧センサは取り付けボスに取り付けられ、プロセス圧センサを金属ピンに接続するためにボンドワイヤが使用される。もう一つの実施態様において、ボスは、プロセス圧センサの背面への通気路を提供してプロセス圧センサがゲージ圧を感知することを可能にする通路を含む。
【００１２】
公知のプロセス圧感知及びプロセス圧計測トランスミッタは一般にハウジングを含む。ハウジングは、プロセス圧力室を電子部品コンパートメントから分離する金属隔離壁を含む。金属隔離壁は、電子部品コンパートメント中の電子部品をプロセス圧力室から圧力隔離する。金属隔離壁は、電子部品コンパートメント中の大気圧とプロセス圧力室中のプロセス圧との間の圧力差に耐えるのに十分な強さを有しなければならない。圧力差は、１平方インチあたり数百又は数千ポンドの範囲であることができる。
【００１３】
一般に、プロセス圧力室中にはプロセス圧センサが配置される。プロセス圧センサから金属隔離壁を通して電子部品まで電気リードを送る必要がある。金属隔離壁にはボアが設けられ、金属フィードスルーヘッダがそのボアの中に配置され、深溶け込み円形溶接によってボアに対してシールされ、固定されている。公知のプロセス圧トランスミッタにおいて、溶接は、十分な圧力封じ込めを提供するために、金属フィードスルーヘッダ及び金属隔離壁の両方の中に深く溶け込まなければならない。深溶け込み溶接は、金属フィードスルーヘッダが高い圧力差によってはじき飛ばされたり、時間とともに高い圧力差のサイクリングからの疲労によって割れたりすることを防ぐために、頑丈でなければならない。深溶け込み溶接に伴うこれらの問題は、図１〜６に関して以下に説明する実施態様において回避される。
【００１４】
本明細書で開示される金属ヘッダは、金属フィードスルーヘッダ中のフィードスルー孔を貫通する一つ以上の電気ピンを含む。環状のガラスリングが電気ピンを金属ヘッダから分離する。ガラスリングは、フィードスルー孔を埋めて電気ピンを固定し、圧力閉じ込めを提供する。ガラスリングは、金属ヘッダ及び電気リードに対してシールし、ガラス−金属シールと呼ばれる。
【００１５】
ガラス−金属シールは、急激な温度変化（熱衝撃）によって容易に損傷するおそれがある。深溶け込み溶接によって発生する熱は、近くのガラス−金属シールを損傷又は割れさせるおそれがある。過去、この問題は、深溶け込み溶接がガラス−金属シールから遠く離れるように金属ヘッダの直径又はサイズを増すことによって解決されていた。その結果、サイズが大型化した金属ヘッドができてしまった。過去、金属ハウジング及び壁が大型化ヘッダを収容するのに十分な大きさであったため、この大型化ヘッダサイズは特に問題ではなかった。
【００１６】
しかし、圧力トランスミッタの技術が進歩するにつれ、トランスミッタの重さ及びコストを減らすために圧力センサ、電子部品、電気接続、圧力隔離膜、プロセス接続、ハウジング及び他の部品がますます小型化されている。この小型化の進歩が金属ヘッダの大型化したサイズによって制限される。大型化したサイズは、深溶け込み溶接をガラス−金属シールから分離することに伴う問題によるものである。
【００１７】
ヘッダによって提供される圧力封じ込め及びシールを損なうことなく、また、ヘッダにおけるガラス−金属シールを損なうことなく、金属ヘッダを小型化することが要望される。図１〜３に関して以下に説明するように、段付きボアホール及び段付きヘッダリムを有する実施態様は、圧力封じ込め力を圧縮的に伝達するためのシェルフを有する。ガラス−金属シールの近くの加熱及び熱衝撃を減らすために、ガラス−金属シールに隣接して浅溶け込み溶接が使用される。
【００１８】
図１は、加圧されるプロセスパイプ１６に接続された圧力トランスミッタ１２を含むプロセス制御システム１０の図である。この実施態様において、圧力トランスミッタ１２は、HART（登録商標）規格、４−２０ミリアンペアアナログ規格又は他の公知のプロセス制御通信規格のような所望のプロトコルにしたがって作動する２線式プロセス制御ループ１８に結合されている。２線式プロセス制御ループ１８は圧力トランスミッタ１２と制御室２０との間に延びている。ループ１８がHART（登録商標）プロトコルにしたがって作動する実施態様において、ループ１８は、感知されたプロセス圧を表す電流Ｉを運ぶことができる。たとえば、センサ２１（圧力トランスミッタ１２中）が、ループ１８上で送信するための、プロセスパイプ１６中のプロセス圧を感知することができる。
【００１９】
圧力トランスミッタ１２は、加圧されるプロセスパイプ１６から圧力を受け、大気圧にある環境（パイプ１６の外）にあるループ１８上に出力を提供する。圧力トランスミッタ１２は、大気圧にあるトランスミッタ電子部品２６からプロセス圧を圧力隔離する金属壁２４を含む。ヘッダが金属壁２４を貫通して、図２〜３に関して以下さらに詳細に説明するように、センサ２１と電子部品２６との間の電気接続を形成する。
【００２０】
図２は、本発明の一つの実施態様の圧力トランスミッタ１００の部分断面図を示す。圧力トランスミッタ１００は、プロセス圧力室１０４を電子部品コンパートメント１０６から分離する金属壁１０２を含む。一つの実施態様において、金属壁は、圧力トランスミッタ１００の金属ハウジングの一部であるダイカスト（又は精練）金属壁を含む。金属ハウジングは、ステンレス鋼、アルミニウム又は適用環境に適した他の金属で形成することができる。金属ハウジングは、プロセス圧力室１０４のためのプロセス圧入口及び電子部品コンパートメント１０６のためのねじ込み式ワイヤリング導管挿入・アクセスカバーのような形体を含む。金属壁１０２は、それを貫通する段付きボア１０８を有する。段付きボア１０８は、プロセス圧力室１０４に対面する環状ボアシェルフ１１０を含む。
【００２１】
圧力トランスミッタ１００はさらに金属ヘッダ１１２を含む。金属ヘッダ１１２は、ヘッダシェルフ１１６を備えた段付き外縁１１４を有する。ヘッダシェルフ１１６は接触ライン１１１でボアシェルフ１１０と接触する。金属ヘッダ１１２は中央金属プレート又は部材１２０を含む。中央金属プレートは、段付き外縁１１４に隣接する、ガラス−金属シール１２６、１２８を備えたフィードスルーピン１２２、１２４を有する。一つの実施態様において、金属プレート１２０は、ガラス−金属シール１２６、１２８に使用されているガラスの熱膨張率よりも大きい熱膨張率を有する金属合金で形成されている。膨張率の差が、作業温度範囲にわたって金属プレートとガラスとの間に所望の圧縮力を維持する。一つの実施態様において、ガラスは、フィードスルーピン１２２、１２４の熱膨張率よりも大きい熱膨張率を有する。フィードスルーピンは、コバール、合金５２又は所望の温度係数及びシール特性を有する他の金属で形成することができる。一つの実施態様において、ガラス−金属シール１２６、１２８は、シールが高い気密性を有するようにヘッダ１１２中で溶融ガラスを冷まし、固化させることによって定位置に形成される。
【００２２】
この実施態様にしたがって、プロセス圧力室１０４中では第一の溶接シール１３０が段付き外縁１１４を段付きボア１０８に対してシールする。電子部品コンパートメント１０６中では第二の溶接シール１３２が段付き外縁１１４を段付きボア１０８に対してシールする。絶対圧中及びシールされたゲージ圧感知用途では、第二の溶接１３２は省略可能である。加圧されたプロセス流体からのプロセス圧Ｐがプロセス圧力室１０４に提供される。プロセス圧Ｐは加圧荷重力Ｆ（図２に示す）を金属ヘッダ１１２に加える。ヘッダシェルフ１１６とボアシェルフ１１０との間の接触ライン１１１での接触を介して加圧荷重力Ｆの実質すべてが金属壁１０２に伝達される。シェルフ１１０、１１６を介する加圧荷重力の伝達が溶接シール１３０、１３２を加圧荷重力Ｆの実質すべてから解放する。溶接シール１３０、１３２にはごくわずかな力しか加わらないため、プロジェクション溶接、ＴＩＧ溶接、レーザー溶接、シーム溶接、フィラー溶接、摩擦溶接、ろう付け及びはんだ接合などの多様な溶接タイプを使用することができる。
【００２３】
一つの実施態様において、接触ライン１１１におけるヘッダシェルフ１１６とボアシェルフ１１０との接触は溶接を含む。接触ライン１１１における溶接は、好ましくは、電気抵抗溶接である。接触ライン１１１における溶接は、連続的でなくてもよく、接触ライン１１１に沿ってシールを形成しなくてもよい。
【００２４】
圧力センサ１４０（ブロック図形態で示す）がプロセス圧力室１０４中に配置されている。圧力センサ１４０は、プロセス圧力室１０４中のプロセス圧Ｐを感知する。一つの実施態様において、圧力センサ１４０は、複数の層の少なくとも一つの中にシリコン感知ダイアフラムを含む多層センサを含む。もう一つの実施態様において、圧力センサ１４０は、シリコン感知ダイアフラムの動きを感知するひずみゲージを含む。さらに別の実施態様において、圧力センサ１４０は、シリコン感知ダイアフラムの動きを感知する可変キャパシタンスを含む。
【００２５】
圧力センサ１４０は、ボンドワイヤ１４２、１４４によってフィードスルーピン１２２、１２４に接続されている。フィードスルーピン１２２、１２４は、リード１４６、１４８によって電子部品ハウジング中の電子部品１５０に接続している。電子部品１５０は、プロセス圧Ｐを表す出力１５２を提供する。
【００２６】
図２に示すように、ガラス−金属シール１２６、１２８が溶接１３０、１３２に近接している。溶接１３０、１３２は浅溶け込み溶接である。浅溶け込み溶接法は、ガラス−金属シール１２６、１２８を損傷するほどの熱を発生させない。ヘッダ１１２のサイズは縮小し、圧力トランスミッタ１００のより進んだ小型化が達成される。一つの実施態様においては、シェルフ１１０、１１６を使用して加圧荷重を負担することにより、ガラス−金属シールと溶接との間隔は、直径２．４mmのワイヤボンドフィードスルーピンの場合で２．４mm（０．０９４インチ）まで減らされる。直径２mmのワイヤボンドフィードスルー型ピンを使用するもう一つの実施態様において、間隔は２mm（０．０７７インチ）まで減らされる。ワイヤボンディングに耐える必要のないフィードスルーピンの場合、さらに小径のフィードスルーワイヤ及び間隔を使用することができる。
【００２７】
図３は、圧力トランスミッタ２００の部分断面図を示す。圧力感知装置２００は、プロセス圧力室２０４を電子部品コンパートメント２０６から分離する金属壁２０２を含む。金属壁２０２は、それを貫通する段付きボア２０８を有する。ボア２０８は、プロセス圧力室２０４に対面するボアシェルフ２１０を含む。
【００２８】
圧力トランスミッタ２００は金属ヘッダ２１２を含む。金属ヘッダ２１２は、ヘッダシェルフ２１６を有する段付き外縁２１４を有する。ヘッダシェルフ２１６は接触ライン２１１でボアシェルフ２１０と接触する。金属ヘッダ２１２は中央金属プレート２２０を含む。中央金属プレート２２０は、段付き外縁２１４に隣接する、ガラス−金属シール（たとえばシール２２８）を備えたフィードスルーピン（たとえばピン２２２、２２４）を有する。
【００２９】
第一の溶接シール２３０が接触ライン２１１に沿って段付き外縁２１４を段付きボア２０８に対してシールする。電子部品コンパートメント２０６中では第二の溶接シール２３２が段付き外縁２１４を段付きボア２０８に対してシールする。
【００３０】
プロセス圧Ｐが金属壁２０２中の通路２６０を介してプロセス圧力室２０４に提供される。プロセス圧Ｐは加圧荷重力Ｆを金属ヘッダ２１２に加える。接触ライン２１１における溶接２３０を介して加圧荷重力Ｆの実質すべてが金属壁２０２に伝達される。シェルフ２１０、２１６を介する加圧荷重力の伝達が溶接シール２３０、２３２を加圧荷重力Ｆの実質すべてから解放する。溶接シール２３０における荷重力は圧縮力である。接触ライン２１１における溶接２３０は、好ましくは、電気抵抗溶接又は摩擦溶接である。接触ライン２１１における溶接は連続的であり、接触ライン２１１に沿って溶接シールを形成する。圧力センサ２４０が、プロセス圧力室２０４中、プロセス圧力室２０４の取り付け面２６８に取り付けられている。圧力センサ２４０は、プロセス圧力室２０４中のプロセス圧Ｐを感知する。
【００３１】
一つの実施態様において、圧力センサ２４０は、取り付け面２６８に隣接する背面通気口を有する。圧力センサ２６８の背面通気口は、ボア２６４及びボア２６２によって大気通気圧Ｖに通気される。ボア２６４とボア２６２とが異なる半径方向位置にあるとき、周方向の溝２６６がボア２６４とボア２６２との間で圧力伝達を提供する。圧力センサ２４０は、プロセス圧と大気圧との差、すなわちゲージ圧を感知する。
【００３２】
圧力センサ２４０は、ボンドワイヤ２４２、２４４（図３を参照）によってフィードスルーピン２２２、２２４（図３を参照）に接続されている。フィードスルーピン２２２、２２４は、リード２４６、２４８によって電子部品コンパートメント２０６中の電子部品２５０に接続されている。電子部品２５０は、ゲージ圧Ｐを表す出力２５２を提供する。ガラス−金属シール、たとえばシール２２８が、過熱を受けることなく、溶接に近接して配置されている（図２の説明に関して上記したとおり）。
【００３３】
金属プレート２７０がプロセス圧力室２０４を閉塞している。金属プレート２７０を金属壁２０２に対して溶接するために深溶け込み溶接２７２が使用されている。深溶け込み溶接２７２とシール２２８との間の大きな間隔がシール２２８への損傷を防止する。
【００３４】
図４は、ヘッダ４００上の複数の環状ヘッダシェルフ４０２、４０４の部分断面図を示す。複数のヘッダシェルフ４０２、４０４は複数の環状ボアシェルフ４０６、４０８と係合する。複数の環状ボアシェルフ４０６、４０８はプロセス圧力室４１０に対面している。複数の環状ボアシェルフ４０６、４０８及び複数のヘッダシェルフ４０２、４０４の使用は、重複溶接の使用を可能にし、加圧による応力を二つの環状シェルフ接点の間で分散させる。
【００３５】
図５は、ヘッダ５０上のテーパ状環状ヘッダシェルフ５０２を示す。テーパ状環状ヘッダシェルフ５０２はテーパ状環状ボアシェルフ５０４と係合する。テーパ状環状ボアシェルフ５０４はプロセス圧力室５０６に対面している。一つの実施態様において、複数のテーパ状ヘッダシェルフ及びボアシェルフが互いに組み合わせて設けられる。テーパ状シェルフの使用は、ドリルビットを用いる穿孔を使用するボアの最適な機械加工を可能にし、ボアシェルフ５０４を形成するためのフライス作業の必要性を回避する。
【００３６】
図６は、ヘッダ６０４に取り付けられた圧力センサ６０２を備えた圧力トランスミッタ６００を示す。圧力トランスミッタ６００は、プロセス圧力室６０８を電子部品コンパートメント６３０から分離する金属壁６０６を含む。金属壁６０６は、それを貫通する段付きボア６１０を有する。ボア２０８は、プロセス圧力室６０８に対面するボアシェルフ６１２を含む。
【００３７】
圧力トランスミッタ６００は金属ヘッダ６０４を含む。金属ヘッダ６０４は、ヘッダシェルフ６１６を備えた段付き外縁を有する。通気口６２０が圧力センサ６０２の背面を大気に通気する。金属壁６０６、金属ヘッダ６０４及び圧力センサ６０２の配置は、一般に、図３に関して上記したとおりである。電子部品６２２がヘッダ中のピンに接続されている（一般に、図３に関して上記したとおり）。電子部品は、プロセス圧力室６０８中のゲージプロセス圧を表す圧力トランスミッタ電気出力をリード６２４に提供する。ゲージ圧とは、局所的大気圧（通気口６２０によって提供される）とプロセス圧（プロセス圧力室６０８によって提供される）との間の圧力差をいう。リード６２４は、トランスミッタワイヤリングコンパートメント中のねじ込み端子６２６に接続している。フィールドループワイヤリング６２８がねじ込み端子に接続している。フィールドワイヤリングは、出力を離れた場所、たとえば制御室に送信するために使用される。
【００３８】
圧力トランスミッタ６００が例示的な小型化圧力トランスミッタであり、段付きヘッダを使用することによって他の圧力トランスミッタ構造を使用し、小型化することもできることが当業者によって理解されよう。
【００３９】
好ましい実施態様を参照しながら本発明を説明したが、当業者は、本発明の真意及び範囲を逸することなく、形態及び詳細に変更を加えることができることを理解するであろう。
【図１】
0005554073.tif 000002
【図２】
0005554073.tif 000003
【図３】
0005554073.tif 000004
【図４】
0005554073.tif 000005
【図５】
0005554073.tif 000006
【図６】
0005554073.tif 000007